(57)【要約】【課題】被験者の体質や肌の状態を簡便に識別できる識別システムを提供する。【解決手段】被験者の体型データを得るために被験者が装着する採寸用ボディ―スーツ４０２と、体型データとの相関係数が所定値を超える体質の情報及び／又は肌の性質の情報が体型データと対応付けて蓄積されているデータベース２０と、採寸用ボディ―スーツ４０２から得られた被験者の体型データとデータベース２０に蓄積された蓄積データとを比較し、被験者の体型データに相関を有する体質及び肌の性質の少なくとも一方を識別する識別部１０１と、を備える。被験者が採寸用ボディ―スーツ４０２を装着するだけで被験者の体型データが採寸され、その体型データに対応する体質や肌の性質が識別される。被験者の体質や肌の状態を簡便に識別できる。【選択図】図１
2019154870.tif 000002
【特許請求の範囲】
【請求項１】
被験者の体質及び肌の性質の少なくとも一方を識別する識別システムであって、
被験者の体型データを得るために被験者が装着する採寸用ボディ―スーツと、
前記体型データとの相関係数が所定値を超える体質の情報及び／又は肌の性質の情報が前記体型データと対応付けて蓄積されているデータベースと、
前記採寸用ボディ―スーツから得られた被験者の体型データと前記データベースに蓄積された蓄積データとを比較し、被験者の前記体型データに相関を有する体質及び肌の性質の少なくとも一方を識別する識別部と、
を備える識別システム。
【請求項２】
請求項１に記載の識別システムであって、さらに、
前記採寸用ボディ―スーツにより測定された被験者の前記体型データを読み取り、該体型データを無線送信する読取装置と、
前記読取装置から送信された前記体型データを受信して前記識別部に送る体型寸法受信部と、
を備える識別システム。
【請求項３】
請求項１に記載の識別システムであって、さらに、
前記識別部で識別された前記体質又は肌の性質が表示される表示部を有し、前記表示部に、前記体質又は肌の性質の改善に資するコメントが併せて表示される識別システム。
【請求項４】
請求項１に記載の識別システムで用いるデータベースの作成方法であって、
複数の対象者に対して体質調査票への回答を求め、各々の前記対象者の体質を判定する体質判定ステップと、
前記複数の対象者の体型データを得るために、各々の前記対象者に採寸用ボディ―スーツを装着させ、各々の前記対象者の体型データを取得する体型データ取得ステップと、
前記体型データ取得ステップで得られた前記複数の対象者の体型データと前記体質判定ステップで判定された前記複数の対象者の体質を数値化した体質データとの相関係数を算出する体質相関算出ステップと、
前記体型データとの相関係数が所定値を超える前記体質データの情報を前記体型データと対応付けて前記データベースに記録するデータベース作成ステップと、
を備えるデータベースの作成方法。
【請求項５】
請求項１に記載の識別システムで用いるデータベースの作成方法であって、
複数の対象者の肌の性質を、肌の測定結果又はアンケート調査の調査結果に基づいて評価する肌状態評価ステップと、
前記複数の対象者の体型データを得るために、各々の前記対象者に採寸用ボディ―スーツを装着させ、各々の前記対象者の体型データを取得する体型データ取得ステップと、
前記体型データ取得ステップで得られた前記複数の対象者の体型データと前記肌状態評価ステップで評価された前記複数の対象者の肌の状態を数値化した肌データとの相関係数を算出する肌相関算出ステップと、
前記体型データとの相関係数が所定値を超える前記肌データの情報を前記体型データと対応付けて前記データベースに記録するデータベース作成ステップと、
を備えるデータベースの作成方法。
【発明の詳細な説明】
【技術分野】
【０００１】
本発明は、被験者の体質や肌の状態を識別する識別システムと、それに用いるデータベースの作成方法に関し、被検者の体質等を簡単に識別できるようにしたものである。
【背景技術】
【０００２】
下記特許文献１には、被験者に対し、複数の設問への回答を求めるアンケートを実施し、そのアンケート結果から被験者の体質を判断するシステムが記載されている。
この文献では、体質を「内熱湿」「内熱燥」「内冷湿」「内冷燥」「外熱湿」「外熱燥」「外冷湿」及び「外冷燥」の八つに分類している。
それぞれの体質については、例えば「内熱湿体質は、骨格や筋肉が発達して生まれつき丈夫な体をもつタイプが多く、肌質は黄ばみ、くすみがちでつやがなく、肌色は普通かやや浅黒い。肌トラブルは、全身の機能亢進、自律神経系の過亢進が原因で血液や水分が停滞することにより、シミ（色素沈着）、肌荒れ、くすみ、赤ら顔、クマが多い」「内熱燥体質は、皮下脂肪が比較的に多く、色白のタイプが多く、消化器系が発達しているので肥満になる傾向が強い。肌トラブルは、神経系のアンバランスにより、顔の毛細血管が拡張し、赤ら顔になったり、口の横に吹き出物ができたり、全身の機能亢進で水分不足になったりすることから、肌あれ、赤ら顔、ニキビが多い」「内冷湿体質は、やや皮下脂肪が発達したガッチリタイプが多く、肌質は黄ばみ、元来が胃腸や身体が虚弱で、冷え、倦怠感を生じやすい。肌トラブルは、自律神経過亢進で血液やリンパの循環が鈍ることにより、クマ、肌あれ、くすみが多い」等と、それぞれの体質に関係する体型や皮膚の状態を説明している。
【０００３】
中国では、下記非特許文献１に記載されているように、被験者が中医体質調査票（Constitution in Chinese Medicine Questionnaire：ＣＣＭＱ）に記載された６０の質問に回答することで被験者を９種の体質に分類する体質評価法が国家基準として採用され、国民の健康維持・増進、疾病予防に活用されている。
各質問の回答は、１．まったくない、２．まれにある、３．ときどきある、４．よくある、５．いつもある、の中から選択する。
【０００４】
９種の体質は、平和質、気虚質、陽虚質、陰虚質、痰湿質、湿熱質、血お質、気鬱質、及び特稟質である。
平和質は、心身ともにバランスがとれた理想的なタイプである。その他の８種の体質は、未病体質である。
気虚質は、身体の機能状態が低下し、気が虚（不足）したタイプである。
陽虚質は、陽(エネルギー)が虚（不足）して、冷えやすく寒さに弱いタイプである。
陰虚質は、口や喉が渇く、のぼせる、イライラしやすいタイプである。
痰湿質は、代謝産物がたまりやすいタイプである。
湿熱質は、湿邪と熱邪が体内に籠り、排出機能が不十分なタイプである。
血お質は、血の流れが悪く、シミができやすいタイプである。
気鬱質は、気分が沈みがちなタイプである。
特稟質は、環境要素など外部刺激に反応しやすい過敏タイプである。
【０００５】
ＣＣＭＱに回答した被験者の体質は、その回答結果に基づいて特定され、被験者は、その体質に応じたライフスタイルや食事を採ることで体質の改善を図ることになる。
なお、非特許文献１では、ＣＣＭＱの各質問間の相関について検討している。
【先行技術文献】
【特許文献】
【０００６】
【特許文献１】特許５２０４８２２号公報
【特許文献２】ＷＯ２０１４／２０４３２３
【非特許文献】
【０００７】
【非特許文献１】山森明弘他「多変量解析法にもとづいた日本語版中医体質調査票（ＣＣＭＱ−Ｊ）における各質問間相関の評価ならびにＢＭＩ、年齢の推定モデルの構築」日本補完代替医療学会誌、第１３巻、第２号（２０１６年９月）、ＰＰ．４３〜５６
【非特許文献２】WWW.starttoday.jp/news/20171122-3175/「スタートトゥデイ、採寸用ボディースーツ「ＺＯＺＯＳＵＩＴ（ゾゾスーツ）」を無料配布、本日より予約受付開始」
【発明の概要】
【発明が解決しようとする課題】
【０００８】
本発明者は、これまで、体質と肌の状態との相関関係について調査してきた。
この調査では、被験者の体質をＣＣＭＱの回答結果に基づいて特定するとともに、被験者の肌の状態をＶＩＳＩＡ（皮膚計測機）による分析や、バウマン・スキンタイプに分類付けするためのアンケート調査を通じて特定し、ＣＣＭＱ体質と肌状態との相関を統計学的に解析した。
バウマン・スキンタイプは、肌の状態を、脂性肌／乾燥肌、敏感肌／耐性肌、色素性肌（赤いシミや茶色の斑点ができやすい）／非色素性肌、シワ肌／ハリ肌を組合せた１６のタイプに分ける分類法である。
【０００９】
この調査の結果、次のようなことが分かった。
脂性肌／乾燥肌の関係を表すスコア（脂性肌の程度が高いほど値が大きく、乾燥肌の程度が高いほど値が小さい）は、湿熱質及び痰湿質の体質と正の相関があり、湿熱質及び痰湿質の程度が進むほど、より脂性肌になる。また、血お質及び気鬱質の体質とは負の相関があり、血お質及び気鬱質の程度が進むほど、より乾性肌になる。
耐性肌／敏感肌の関係を表すスコアは、平和質の体質と正の相関があり、平和質の程度が進むほど、より耐性肌になる。その他の８つの体質とは負の相関があり、その程度が進むほど、より敏感肌になる。
色素性肌／非色素性肌の関係を表すスコアは、血お質、痰湿質、湿熱質及び気鬱質の体質と正の相関があり、血お質、痰湿質、湿熱質及び気鬱質の体質の程度が進むほど、より色素性肌になる。平和質の体質とは負の相関があり、平和質の体質の程度が進むほど、より非色素性肌になる。
シワ肌／ハリ肌の関係を表すスコアは、血お質、気虚質、陰虚質及び特稟質の体質と正の相関があり、血お質、気虚質、陰虚質及び特稟質の程度が進むほど、よりシワ肌になる。
【００１０】
また、スポット（しみ、斑点、ほくろ）のスコアは、平和質の体質と正の相関関係を有し、平和質の程度が進むほど、少なくなる。また、痰湿質、湿熱質、気鬱質、血お質、気虚質及び陰虚質の体質と負の相関を有し、その程度が進むほど、スポットを持つようになる。
肌のキメに関しては、痰湿質及び湿熱質の体質では粗い肌のきめを持ち、陽虚質及び血お質の体質では平坦な肌のきめを持つ。
毛穴に関しては、痰湿質や湿熱質の体質では、大きな毛穴をもつ傾向にあり、血お質や陽虚質の体質では良好な毛穴を持つ傾向にある。
ＵＶスポットに関しては、陰虚質の体質ではＵＶスポットが出来やすく、血お質体質では、ＵＶスポットができにくい傾向にある。
褐色斑点に関しては、平和質、気虚質、血お質、気鬱質、陰虚質及び痰湿質の体質では、茶色の斑点を有する傾向があり、陽虚質では茶色の斑点が少ない傾向にある。 
赤いシミに関しては、湿熱質及び陰虚質の体質では、赤いシミの赤みが多い傾向があり、陽虚質の体質では赤いシミの赤みが少ない傾向がある。
ニキビ痕にシミを発生させるポルフィリンに関しては、湿熱質の体質では、ポルフィリンの含量が高く、平和質、陽虚質、血お質及び気鬱質の体質では、ポルフィリン含量が低い傾向にある。
こうした相関関係に基づいて、肌の状態から体質を予測したり、体質から肌の状態を予測したりすることが可能である。
【００１１】
しかし、体質をＣＣＭＱの回答に基づいて特定したり、肌の状態をアンケートの回答状況や皮膚計測機の計測結果に基づいて特定したりすることは、かなりの時間と手間が掛かる。
【００１２】
本発明は、こうした事情を考慮して創案したものであり、被験者の体質や肌の状態を簡便に識別できる識別システムを提供し、また、それに用いるデータベースの作成方法を提供することを目的としている。
【課題を解決するための手段】
【００１３】
本発明は、被験者の体質及び肌の性質の少なくとも一方を識別する識別システムであって、被験者の体型データを得るために被験者が装着する採寸用ボディ―スーツと、前記体型データとの相関係数が所定値を超える体質の情報及び／又は肌の性質の情報が前記体型データと対応付けて蓄積されているデータベースと、前記採寸用ボディ―スーツから得られた被験者の体型データと前記データベースに蓄積された蓄積データとを比較し、被験者の前記体型データに相関を有する体質及び肌の性質の少なくとも一方を識別する識別部と、
を備える。
この識別システムでは、被験者が採寸用ボディ―スーツを装着するだけで被験者の体型データが採寸され、その体型データに対応する体質や肌の性質が識別される。
【００１４】
また、本発明の識別システムでは、さらに、前記採寸用ボディ―スーツにより測定された被験者の体型データを読み取り、その体型データを無線送信する読取装置と、前記読取装置から送信された体型データを受信して前記識別部に送る体型寸法受信部とを備える。
被験者は、読取装置で読み取った体型データを遠隔地から送ることができる。
【００１５】
また、本発明の識別システムでは、さらに、前記識別部で識別された体質又は肌の性質を表示する表示部を設け、前記表示部に、体質又は肌の性質の改善に資するコメントを併せて表示するようにしても良い。
被験者は、表示部の表示を見て、体質改善や肌の改善を図ることができる。
【００１６】
また、本発明は、この識別システムで用いるデータベースの作成方法であって、複数の対象者に対して体質調査票への回答を求め、各々の対象者の体質を判定する体質判定ステップと、複数の対象者の体型データを得るために、各々の対象者に採寸用ボディ―スーツを装着させ、各々の対象者の体型データを取得する体型データ取得ステップと、前記体型データ取得ステップで得られた複数の対象者の体型データと前記体質判定ステップで判定された複数の対象者の体質を数値化した体質データとの相関係数を算出する体質相関算出ステップと、前記体型データとの相関係数が所定値を超える前記体質データの情報を前記体型データと対応付けて前記データベースに記録するデータベース作成ステップと、を備える。
【００１７】
また、本発明のデータベースの作成方法では、複数の対象者の肌の性質を、肌の測定結果又はアンケート調査の調査結果に基づいて評価する肌状態評価ステップと、複数の対象者の体型データを得るために、各々の対象者に採寸用ボディ―スーツを装着させ、各々の対象者の体型データを取得する体型データ取得ステップと、前記体型データ取得ステップで得られた複数の対象者の体型データと前記肌状態評価ステップで評価した複数の対象者の肌の状態を数値化した肌データとの相関係数を算出する肌相関算出ステップと、前記体型データとの相関係数が所定値を超える前記肌データの情報を前記体型データと対応付けて前記データベースに記録するデータベース作成ステップと、
を備える。
これらの方法では、対象者の体型データが簡単に取得できるため、データベースの作成時間が短縮できる。
【発明の効果】
【００１８】
本発明の識別システムでは、被験者の体質や肌の状態を簡便に識別できる。また、本発明のデータベース作成方法では、識別システムに用いるデータベースの作成時間を短縮することができる。
【図面の簡単な説明】
【００１９】
【図１】本発明の実施形態に係る識別システムの構成を示すブロック図
【図２】図１の採寸用ボディースーツを示す図
【図３】図２の布状センサを示す図
【図４】図１のデータベースに格納する情報の作成手順を示すフロー図
【図５】体型データと体質及び肌との関係を模式的に示す図
【発明を実施するための形態】
【００２０】
図１は、本発明の実施形態に係る体質及び肌の性質の識別システムを示している。
このシステムは、被験者の体型データから被験者の体質や肌の状態を識別する識別装置１０と、この識別に使用される情報が蓄積されたデータベース２０と、データベース２０に蓄積する情報を作成する蓄積情報作成装置２１とを備えている。
蓄積情報作成装置２１は、複数の対象者の体型データと体質の情報と肌の情報とからデータベース２０に蓄積する情報を作成する。
対象者の体質は、対象者がＣＣＭＱ３０１に記入した回答に基づいて決定される。対象者の肌の状態は、対象者の肌を皮膚計測機３０２で計測した結果やバウマン・スキンタイプに分類付けするためのアンケート調査の結果に基づいて決定される。
【００２１】
対象者の体型データは、対象者が採寸用ボディースーツ３０４を着用することで測定される。
採寸用ボディースーツ３０４は、その一例が前記特許文献２に記載されている。このボディースーツは、図２に示すように、多数の布状センサ５２ａ〜５２ｉがトップス５３及びボトムス５４の各所に取り付けられている。布状センサは、図３（ａ）（平面図）、図３（ｂ）（側面図）に示すように、布状絶縁体５７と、それを挟む布状電極５５、５６とで構成され、伸び縮みが可能であって、その伸び縮みにより布状電極５５、５６間の電気容量が変化する。逆に、その変化を検出すれば布状センサ５２ａ〜５２ｉの長さの変化が分かる。
【００２２】
前記非特許文献２に記載されているように、対象者が採寸用ボディースーツ３０４を着用したときの各布状センサの電気特性の変化が、近距離通信機能を持つスマートホン等の読取装置３０３に伝えられると、読取装置３０３は、対象者のあらゆる箇所の寸法データを瞬時に算出して保存する。
読取装置３０３は、対象者の体型データとして、例えば、バスト、二の腕、ウエスト、ヒップ、太もも、ふくらはぎ、足首、肩幅、骨盤等の寸法を蓄積情報作成装置２１に送信する。
【００２３】
蓄積情報作成装置２１は、対象者の体型データや体質、肌の情報が入力するデータ入力部２１１と、入力した各対象者の情報を蓄積するデータ蓄積部２１２と、データ蓄積部２１２に蓄積された情報を用いて体型データと相関を有する体質及び肌の情報を求める相関関係算出部２１３とを備えている。
【００２４】
相関関係算出部２１３は、各対象者の体質の情報を数値化した体質データと各対象者の体型データとの相関係数を算出し、また、各対象者の肌の情報を数値化した肌データと各対象者の体型データとの相関係数を算出する。
相関係数は、＋１から−１までの値を持つ。相関係数の算出方法は広く知られており、非特許文献１にも記載されている。
相関関係算出部２１３は、体型データとの相関係数が所定値（例えば、０．７）を超える体質データの情報、及び、体型データとの相関係数が所定値を超える肌データの情報を体型データと対応付けてデータベース２０に格納する。
【００２５】
図４は、データベース２０に格納する情報の作成手順を示している。
複数の対象者の体質を判定し(ステップ１)、同一対象者の肌状態を評価し(ステップ２)、採寸用ボディースーツを用いて同一対象者の体型データを取得する（ステップ３）。
ステップ１〜ステップ３で得られた情報を用いて、体型データと、体質を数値化した体質データとの相関係数を算出し(ステップ４)、相関係数が閾値(例えば、０．７)を超える体質データの情報を、体型データと対応付けてデータベースに記録する(ステップ５)。
また、ステップ１〜ステップ３で得られた情報を用いて、体型データと、肌状態を数値化した肌データとの相関係数を算出し(ステップ６)、相関係数が閾値(例えば、０．７)を超える肌データの情報を、体型データと対応付けてデータベースに記録する(ステップ７)。
【００２６】
一方、識別装置１０は、被験者が着用した採寸用ボディースーツ４０２との近距離通信を通じて被験者の体型データを読み取った読取装置４０１から被験者の体型データを取得する体型データ受信部１０２と、体型データ受信部１０２が受信した体型データと相関を持つ体質及び肌の情報を識別する識別部１０１と、識別部１０１が識別した情報を表示する表示部１０３とを備えている。
【００２７】
識別部１０１は、体型データ受信部１０２が被験者の体型データを受信すると、データベース２０から、その体型データと相関を有する体質及び肌の情報を読み出し、表示部１０３に表示する。
このとき、体質及び肌の改善を指導する情報をデータベース２０に格納しておき、体質及び肌の情報と合わせて表示するようにしても良い。
【００２８】
このように、このシステムでは、図５に模式的に示すように、体型の情報に基づいて、それと相関関係を有する体質や肌の情報が表示される。このシステムでは、採寸用ボディースーツを用いて被験者の体型データを簡単に得ることができるため、被験者は、自己の体質や肌の状態を簡便に知ることができる。
また、被験者は、遠隔地から識別装置１０に体型データを送信し、体質や肌の状態を知ることもできる。
また、このシステムのデータベースに格納する情報の作成も、採寸用ボディースーツを使用することで作成時間を短縮できる。
【００２９】
このシステムは、データベース２０を保持するサーバと、識別装置１０の機能を有するアプリケーションをインストールしたパソコンやスマートホン等とで構成することもできる。この場合、パソコンやスマートホン等からインターネットを通じてサーバにアクセスすることで、体型に応じた体質や肌の情報を得ることができる。
【００３０】
なお、ここでは、データベースに体型データと相関を有する体質及び肌の情報を格納する場合について説明したが、その一方だけを格納し、入力する体型データに応じて体質の情報だけ、又は肌の情報だけを表示するようにしても良い。
【産業上の利用可能性】
【００３１】
本発明の識別システムは、体質や肌の状態を簡便に知ることが可能であり、各種医療機関や公共施設、家庭等で広く利用することができる。
【符号の説明】
【００３２】
１０    識別装置
２０    データベース
２１    蓄積情報作成装置
５２    布状センサ
５３    トップス
５４    ボトムス
５５    布状電極
５６    布状電極
５７    布状絶縁体
１０１  体質／肌状態識別部
１０２  体型データ受信部
１０３  表示部
２１１  データ入力部
２１２  データ蓄積部
２１３  相関関係算出部
３０１  ＣＣＭＱ
３０２  皮膚計測機
３０３  体型データ読取装置
３０４  採寸用ボディースーツ
４０１  体型データ読取装置
４０２  採寸用ボディースーツ
【図１】
2019154870.tif 000003
【図２】
2019154870.tif 000004
【図３】
2019154870.tif 000005
【図４】
2019154870.tif 000006
【図５】
2019154870.tif 000007